(57)【要約】【課題】専用の機構を用いることなく、温度が変化しても位置を調整したレーザ光がずれることを防止できる光ピックアップ装置及び当該光ピックアップ装置を備えた光ディスク再生装置を提供する。【解決手段】プレーヤ装置１は光ピックアップ装置２１を備えている。光ピックアップ装置２１はピックアップケースと光学部品群２８，２９，３０を備えている。ピックアップケースは光学部品群２８，２９，３０のＬＤ５９とミラー５７，６２とプリズム６６のそれぞれと接触する接触部を備えている。ＬＤ５９とミラー５７，６２とプリズム６６は接触部に接触した状態で接着剤によりピックアップケースに固定されている。【選択図】図５
2011170940.tif 000002
【特許請求の範囲】
【請求項１】
光ディスクの径方向に移動自在に設けられたピックアップケースと、レーザ光を出射するレーザ素子と、前記レーザ素子によって出射されたレーザ光を反射して当該レーザ光を前記光ディスクの情報記録面に導く少なくとも２つの光学部品と、前記光学部品によって前記光ディスクの情報記録面に導かれ、当該光ディスクの情報記録面で反射されたレーザ光を受光する受光素子と、を備えた光ピックアップ装置において、
前記光ピックアップケースは、前記レーザ素子と前記少なくとも２つの光学部品のそれぞれと接触する接触部を備え、
前記レーザ素子と前記少なくとも２つの光学部品は、当該接触部に接触した状態で接着剤により当該ピックアップケースに固定されていることを特徴とする光ピックアップ装置。
【請求項２】
前記レーザ素子と前記２つの光学部品は、ぞれぞれ、前記接触部に接触した状態で前記レーザ光の一方向のみの位置調整のために前記ピックアップケースに対する位置調整が行われた後に、当該ピックアップケースに固定されていることを特徴とする請求項１に記載の光ピックアップ装置。
【請求項３】
前記光学部品が、前記レーザ光を前記光ディスクの情報記録面に向かって反射するミラーであり、
前記ピックアップケースには、前記ミラーを互いの間に位置付ける位置付け部が一対設けられており、
前記ミラーに接触する接触部が、前記位置付け部から突出しかつ前記ミラーが重ねられる面が当該ミラーに向かって凸の湾曲していることを特徴とする請求項１又は請求項２記載の光ピックアップ装置。
【請求項４】
前記光学部品が、プリズムであり、
前記ピックアップケースには、前記プリズムを載置する載置壁が設けられており、
前記プリズムに接触する接触部が、前記載置壁から凸でかつ表面上に前記プリズムが重ねられる面が平坦に形成されていることを特徴とする請求項１ないし請求項３のうちいずれか一項に記載の光ピックアップ装置。
【請求項５】
前記ピックアップケースには、前記光源の先端を通す通し孔が設けられており、
前記レーザ素子に接触する接触部が、前記通し孔の内面でかつ前記光源から遠ざかるにしたがって前記通し孔の内径を徐々に減少させる方向に傾斜していることを特徴とする請求項１ないし請求項４のうちいずれか一項に記載の光ピックアップ装置。
【請求項６】
機器本体と、
前記機器本体内に収容された光ディスクから情報を読み出す光ピックアップ装置と、を備えた光ディスク再生装置において、
前記光ピックアップ装置として請求項１ないし請求項５のうちいずれか一項に記載の光ピックアップ装置を備えていることを特徴とする光ディスク再生装置。
【発明の詳細な説明】
【技術分野】
【０００１】
本発明は、例えば、Compact DiscやＢＤ（Blu-ray Disc）などの光ディスクから情報を読み出す光ピックアップ装置及び当該光ピックアップ装置を備えた光ディスク再生装置に関する。
【背景技術】
【０００２】
ＣＤ（Compact Disk）やＤＶＤ（Digital Versatile Disc）やＢＤ（Blu-ray Disc）などの光ディスクから情報を読み出すために、従来から種々の光ピックアップ装置（例えば、特許文献１及び特許文献２参照）が用いられてきた。
【０００３】
前述した特許文献１及び特許文献２などに示された光ピックアップ装置は、前述したＣＤなどの光ディスクの径方向に移動自在に設けられたピックアップケースと、前記ピックアップケースに取り付けられるレーザ素子としてのレーザダイオード（以下、ＬＤと記す）と、前記ＬＤから出射されかつ前記光ディスクの情報記録面で反射されたレーザ光を受光する受光素子としてフォトダイオード（以下、ＰＤと記す）と、前記ＬＤから出射されたレーザ光がＰＤで受光される間にレーザ光を適切な方向に導くためのミラー等の光学部品を備えている。
【０００４】
前述したＬＤ、ＰＤ、ミラー等の光学部品は、それぞれ、接着剤により前記ピックアップケースに取り付けられる。前述した特許文献１に示された光ピックアップ装置では、ＬＤが出射して光ディスクの情報記録面で反射されるとともにＰＤで受光するレーザ光のラジアル方向（光ディスクの径方向と平行な方向）の調整と、前記レーザ光のタンジェンシャル方向（光ディスクの周方向と平行な方向）の調整と、ＬＤが出射するレーザ光の向きの調整とのために、前記ＬＤのピックアップケースに対する位置を適宜変更して行っていた。即ち、前記ＬＤのピックアップケースに対する位置を適宜変更して、光ディスクの情報記録面におけるレーザ光の前述したラジアル方向とタンジェンシャル方向とレーザ光の向きの三方向の位置調整を行っていた。
【０００５】
このため、ピックアップケースから浮かせた状態でＬＤを保持して、当該ＬＤの前述した三方向の位置を調整した後、ピックアップケースとＬＤとの間に接着剤を充填することで、ＬＤをピックアップケースに取り付けている。すなわち、ＬＤは、ピックアップケースから間隔をあけた状態で前述した接着剤によりピックアップケースに固定された格好となっている。
【０００６】
また、前述した特許文献２に示された光ピックアップ装置では、前記レーザ光を光ディスクに向かって反射及び光ディスクの情報記録面で反射されたレーザ光を他の光学部品に向かって反射する光学部品としてのミラーのピックアップケースに対する向き（位置）を適宜変更して、光ディスクの情報記録面におけるレーザ光の前述したラジアル方向とタンジェンシャル方向の二方向の位置調整を行っていた。これら二方向の位置調整のために、特許文献２に示された光ピックアップ装置では、前述したミラー（光学部品に相当）の角度調整を行うための調整機構を設けて、この調整機構によって前述した二方向の調整を行っていた。
【先行技術文献】
【特許文献】
【０００７】
【特許文献１】特許第３９６６４１３号公報
【特許文献２】特開２００５−２７６２５１号公報
【発明の概要】
【発明が解決しようとする課題】
【０００８】
前述した特許文献１に示された光ピックアップ装置では、前述したＬＤがピックアップケースから間隔をあけた状態で接着剤に保持された格好となっているので、ＬＤとピックアップケースとの間には接着剤のみが設けられている。前述した接着剤は、ピックアップケースを構成する合成樹脂や板金に比べて、硬化後も元々温度の変化により延び縮みしやすいために、温度変化により前述したＬＤの位置が変化しやすく、せっかく位置を調整したレーザ光が前述した三方向にずれやすかった。
【０００９】
また、前述した特許文献２の光ピックアップ装置では、前述したミラーの角度調整を行うために、専用の調整機構が必要となるので、部品点数が増加し、構造も複雑になってしまい、コストが高騰する傾向であった。
【００１０】
したがって、本発明の目的は、例えば、専用の機構を用いることなく、温度が変化しても、位置を調整したレーザ光がずれることを防止できる光ピックアップ装置及び当該光ピックアップ装置を備えた光ディスク再生装置を提供することにある。
【課題を解決するための手段】
【００１１】
前記課題を解決し目的を達成するために、請求項１に記載の本発明は、光ディスクの径方向に移動自在に設けられたピックアップケースと、レーザ光を出射するレーザ素子と、前記レーザ素子によって出射されたレーザ光を反射して当該レーザ光を前記光ディスクの情報記録面に導く少なくとも２つの光学部品と、前記光学部品によって前記光ディスクの情報記録面に導かれ、当該光ディスクの情報記録面で反射されたレーザ光を受光する受光素子と、を備えた光ピックアップ装置において、記光ピックアップケースは、前記レーザ素子と前記少なくとも２つの光学部品のそれぞれと接触する接触部を備え、前記レーザ素子と前記少なくとも２つの光学部品は、当該接触部に接触した状態で接着剤により当該ピックアップケースに固定されていることを特徴としている。
【図面の簡単な説明】
【００１２】
【図１】本発明の一実施例にかかるプレーヤ装置の斜視図である。
【図２】図１に示されたプレーヤ装置のシャーシ本体及びクランプ再生ユニットなどを示す斜視図である。
【図３】図１に示されたプレーヤ装置のクランプ再生ユニットの側面図である。
【図４】図１に示されたプレーヤ装置の光ピックアップ装置の斜視図である。
【図５】図４に示された光ピックアップ装置の各光学部品群の構成を示す斜視図である。
【図６】図４に示された光ピックアップ装置の各ミラーとミラー取付部などを拡大して示す斜視図である。
【図７】図６中のＶＩＩ−ＶＩＩ線に沿う断面図である。
【図８】図４に示された光ピックアップ装置のプリズムなどを拡大して示す斜視図である。
【図９】図８中のＩＸ−ＩＸ線に沿う断面図である。
【図１０】図４に示された光ピックアップ装置のＬＤなどを拡大して示す斜視図である。
【図１１】図１０中のＸＩ−ＸＩ線に沿う断面図である。
【発明を実施するための形態】
【００１３】
以下、本発明の一実施形態にかかる光ピックアップ装置を説明する。本発明の一実施形態にかかる光ピックアップ装置は、レーザ素子と少なくとも二つの光学部品に接触する接触部をピックアップケースに設けている。このため、これらのレーザ素子と少なくとも二つの光学部品が接着剤のみで保持されることなく、接触部即ちピックアップケースの一部分に直接接触しているので、ピックアップケースに対して位置ずれしにくくなっている。よって、温度が変化しても、位置を調整したレーザ光がずれることを防止できる。
【００１４】
また、前述したレーザ素子と少なくとも二つの光学部品を、ピックアップケースの接触部に接触させているので、専用の調整機構を設けることなく、これらのピックアップケースに対する位置を適宜調整することができる。したがって、専用の機構を用いることなく低コストで、温度が変化しても位置を調整したレーザ光がずれることを防止することができる。
【００１５】
さらに、本実施形態では、レーザ素子と二つの光学部品を接触部に接触した状態で位置調整が行われた後に、ピックアップケースに固定されてもよい。この場合、レーザ素子と二つの光学部品が接触部に接触しているので、温度が変化しても位置を調整したレーザ光がずれることを防止できるとともに、レーザ素子と二つの光学部品を接触部に接触した状態で位置調整するので、専用の機構を用いることなく低コストで組み立てることができる。
【００１６】
また、本実施形態では、前述した光学部品をミラーとし、接触部を位置付け部から突出させかつミラーに接触する面を凸の曲面状に形成してもよい。この場合、ミラーを接触部に確実に接触させることができるので、温度が変化しても位置を調整したレーザ光がずれることを防止することができる。さらに、接触部を中心としてミラーの向きを適宜変更できるので、当該ミラーの接触部を中心とした向きを適宜変更することにより、例えば、レーザ光のタンジェンシャル方向の位置を適宜調整することができる。
【００１７】
さらに、本実施形態では、前述した光学部品をプリズムとし、接触部を載置壁から突出して表面を平坦に形成してもよい。この場合、プリズムを接触部に確実に接触させることができるので、温度が変化しても位置を調整したレーザ光がずれることを防止することができる。さらに、接触部上のプリズムの位置を適宜変更できるので、当該プリズムの接触部上の位置を適宜変更することにより、例えば、レーザ光のラジアル方向の位置を適宜調整することができる。
【００１８】
また、本実施形態では、接触部を、レーザ素子が接触する通し孔のテーパ状の内面としてもよい。この場合、レーザ素子を接触部に確実に接触させることができるので、温度が変化しても位置を調整したレーザ光がずれることを防止することができる。さらに、通し孔のテーパ状の内面上のレーザ素子の接触する箇所の位置を適宜変更できるので、例えば、レーザ素子が出射するレーザ光の向きを適宜調整することができる。
【００１９】
さらに、前述した実施形態では、ミラーの向きを調整することでレーザ光のタンジェンシャル方向の位置調整を行い、プリズムの接触部上の位置を調整することでレーザ光のラジアル方向の位置調整を行い、接触部上のレーザ素子の接触する箇所の位置を調整することで光源から出射するレーザ光の向きを調整してもよい。このように、本実施形態では、レーザ光の位置調整のためにピックアップケースに対する位置が適宜調整される部品を三種類設け、これらの部品を各々一方向のみの位置調整に用いてもよい。この場合、ピックアップケースに対する各部品の位置調整の作業が容易になり、光ピックアップ装置の組み立てに係る工数を抑制することができる。
【００２０】
また、本実施形態では、前述した構成の光ピックアップ装置を備えた光ディスク再生装置としてもよい。この場合、光ディスク再生装置は、温度が変化しても、位置を調整したレーザ光がずれることを防止することができる。
【実施例】
【００２１】
以下、本発明の一実施例にかかる光ディスク再生装置の一例としてのプレーヤ装置１を、図１ないし図１１に基づいて説明する。図１などに示すプレーヤ装置１は、移動体としての自動車のインストルメントパネル（以下、インパネと呼ぶ）などに取り付けられて、光ディスクとしてのＣＤ２（図１に示す）、光ディスクとしてのＤＶＤ、光ディスクとしてのＢＤのいずれか一枚収容して、これらのＣＤ２、ＤＶＤ及びＢＤに記録された情報を読み出（再生）して、音声及び映像として出力する装置である。なお、ＣＤ２、ＤＶＤ及びＢＤは、勿論、内部の情報記録面に前述した情報を記録し、中央に孔が設けられた円板状即ちディスク状に形成されており、コンピュータなどの電子機器で前述した情報記録面に記録された情報を読みとることのできる記録媒体である。
【００２２】
プレーヤ装置１は、図１及び図２に示すように、機器本体３（図１に示す）と、搬送手段としての搬送ユニット５と、クランプ再生手段としてのクランプ再生ユニット６などを備えている。なお、以下、ＣＤ２、ＤＶＤ及びＢＤの表面と搬送ユニット５のＣＤ２、ＤＶＤ及びＢＤの搬送方向との双方と平行な図１中の矢印Ｙをプレーヤ装置１の奥行き方向と記し、ＣＤ２、ＤＶＤ及びＢＤの表面と平行でかつ前記奥行き方向Ｙと直交する矢印Ｘをプレーヤ装置１の幅方向と記し、ＣＤ２、ＤＶＤ及びＢＤの表面と奥行き方向Ｙと幅方向Ｘの全てと直交する矢印Ｚをプレーヤ装置１の厚み方向と記す。
【００２３】
機器本体３は、平面形状が四角形状の扁平な箱状に形成され、かつ、合成樹脂や金属等からなる図１に示す外側ケース８と、図２に示すシャーシ本体９とを備えている。
【００２４】
外側ケース８は、扁平な箱状に形成されている。外側ケース８の前述したインパネに取り付けると乗員に相対する前面８ａ（図１に示す）には、ＣＤ２、ＤＶＤ及びＢＤを出し入れ可能な挿入口１０が一つ設けられている。なお、前面８ａは、外側ケース８即ちプレーヤ装置１がインパネに取り付けられると、該インパネの外側に露出する外側ケース８の一つの面である。
【００２５】
挿入口１０は、外側ケース８の外壁を貫通している。挿入口１０は、内側にＣＤ２、ＤＶＤ及びＢＤを通すことができる。挿入口１０を通して、前記ＣＤ２、ＤＶＤ及びＢＤは、外側ケース８即ち機器本体３内に収容されたり、該機器本体３内から排出される。即ち、挿入口１０は、ＣＤ２、ＤＶＤ及びＢＤを機器本体３に出し入れ自在とする。
【００２６】
さらに、前述した前面８ａには、表示パネル１１と、各種のスイッチ１２とが設けられている。
【００２７】
表示パネル１１は、前面８ａに露出して、使用者に対し各種の情報を表示する表示領域としての表示面を備えている。表示パネル１１は、表示面に再生中のプログラム名等の情報を表示する。
【００２８】
各種のスイッチ１２は、使用者が操作するための操作部を構成している。スイッチ１２が使用者などに操作されることによって、例えば、クランプ再生ユニット６が再生するＣＤ２、ＤＶＤ及びＢＤのプログラムの選択やＣＤ２、ＤＶＤ及びＢＤの出し入れなどが行われる。
【００２９】
シャーシ本体９は、図２などに示すように、複数の折り曲げられた板金などが互いに取り付けられて構成されている。シャーシ本体９は、図２及び図３に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００３０】
搬送ユニット５は、挿入口１０の近傍に配され、かつ図示しないローラアームと、図２に示すディスクガイド１７と、を備えている。ローラアームは、モータなどの駆動源により回転駆動される搬送ローラが設けられている。ディスクガイド１７は、平板状に形成され、ローラアームと間隔をあけて配置されている。
【００３１】
前述した構成のローラアームとディスクガイド１７は、互いに接離自在に設けられ、かつ互いに近づいて互いの間にＣＤ２、ＤＶＤ及びＢＤを挟んで、搬送ローラがモータにより回転駆動されることで、機器本体３にＣＤ２、ＤＶＤ及びＢＤを出し入れする。
【００３２】
クランプ再生ユニット６は、図３に示すように、キャリッジシャーシ１８と、クランプアーム１９と、を備えている。キャリッジシャーシ１８は、板金などからなるシャーシ本体２０と、該シャーシ本体２０に取り付けられた図示しない回転テーブルと、シャーシ本体２０に取り付けられた光ピックアップ装置２１（図４に示す）と、を備えている。
【００３３】
シャーシ本体２０は、略平板状に形成されている。回転テーブルは、シャーシ本体２０に回転自在に支持されている。回転テーブルは、ＣＤ２、ＤＶＤ及びＢＤの中央の孔内に侵入するとともに、シャーシ本体２０に取り付けられたスピンドルモータの駆動力によって、ＣＤ２、ＤＶＤ及びＢＤを回転させる。光ピックアップ装置２１の構成は、後ほど説明する。
【００３４】
クランプアーム１９は、板金などからなるアーム本体２２と、クランパ２３と、を備えている。アーム本体２２は、略平板状に形成されている。キャリッジシャーシ１８のシャーシ本体２０に、挿入口１０から離れた端部を中心として回転自在に支持されている。アーム本体２２の回転中心は、シャーシ本体９の幅方向Ｘと平行である。アーム本体２２がシャーシ本体２０に近づいた状態では、シャーシ本体２０とアーム本体２２とが略平行になる。
【００３５】
クランパ２３は、回転テーブルに相対する位置に配されている。クランパ２３は、円板状に形成されているとともに、アーム本体２２に回転自在に支持されている。クランパ２３は、アーム本体２２がシャーシ本体２０と略平行な状態となると、回転テーブルとの間にＣＤ２、ＤＶＤ及びＢＤを挟むことができる。さらに、クランプ再生ユニット６のキャリッジシャーシ１８とクランプアーム１９とは、図示しないばねなどの付勢手段により互いに近づく方向に付勢されている。
【００３６】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム１９のアーム本体２２がキャリッジシャーシ１８に回転自在に支持されることで、これらのキャリッジシャーシ１８とクランプアーム１９とが互いに接離自在に設けられている。クランプ再生ユニット６は、クランプアーム１９とキャリッジシャーシ１８とが互いに近づいて、回転テーブルとクランパ２３との間にＣＤ２、ＤＶＤ及びＢＤを挟んで（即ち互いの間にＣＤ２、ＤＶＤ及びＢＤを挟んでクランプし）、回転テーブルでＣＤ２、ＤＶＤ及びＢＤを回転させ光ピックアップ装置２１で該ＣＤ２、ＤＶＤ及びＢＤ内の情報を読み出す。
【００３７】
そして、クランプ再生ユニット６は、前記自動車の走行中の振動によって機器本体３が振動しても、前記ダンパとコイルばねとによってシャーシ本体９に対し移動する。このように、前記ダンパとコイルばねなどは、前記自動車の走行中の振動などが前記ＣＤ２、ＤＶＤ及びＢＤの情報を読み出す作業に悪影響を与えることを防止する。
【００３８】
光ピックアップ装置２１は、シャーシ本体２０に取り付けられた駆動機構２４（図４に示す）によって、機器本体３の対角線上すなわちＣＤ２、ＤＶＤ及びＢＤの径方向に沿って移動自在に設けられている。駆動機構２４は、図示しないモータの駆動源により回転駆動されるとともに、機器本体３の対角線上すなわちＣＤ２、ＤＶＤ及びＢＤの径方向と平行な直線状のリードスクリュー２５（図４中に二点鎖線で示す）と、当該リードスクリュー２５と平行な円柱ピン２６（図４中に二点鎖線で示す）とを備えている。
【００３９】
光ピックアップ装置２１は、図４及び図５に示すように、ピックアップケース２７と、光学部品群としてのＣＤＤＶＤ用光学部品群２８と、光学部品群としてのＢＤ用光学部品群２９と、光学部品群としての共通光学部品群３０とを備えている。
【００４０】
ピックアップケース２７は、リードスクリュー２５に螺合しかつ前記円柱ピン２６によりスライド自在に設けられたベース部３１と、このベース部３１に対して移動自在に設けられたレンズ部３２と、前記ベース部３１に対して前記レンズ部３２を厚み方向Ｚ及びＣＤ２の径方向に沿って移動させるアクチュエータ３３と備えている。
【００４１】
ベース部３１は、底壁３４（図６に一部示す）と、この底壁３４の外縁から立設した周壁３５（図４に示す）と、前記周壁３５に連なりかつ底壁３４と間隔をあけて相対した載置壁３６（図８に示す）とを備えて、外表面に開口が設けられた扁平な箱状に形成されている。底壁３４の中央部には、図６に示すように、当該底壁３４を貫通した開口３７と、二つのミラー取付部３８とが設けられている。これら二つのミラー取付部３８は、ＣＤ２、ＤＶＤ及びＢＤの周方向に沿って並ぶ位置に設けられている。ミラー取付部３８は、それぞれ、後述するＣＤＤＶＤ用ミラー５７と、ＢＤ用ミラー６２に対応して設けられている。
【００４２】
それぞれのミラー取付部３８は、図６に示すように、前記開口３７の両縁から立設しかつＣＤ２、ＤＶＤ及びＢＤの径方向に互いに間隔をあけて相対した一対の位置付け部３９と、接触部としての一対の支点凸部４０とを備えている。位置付け部３９は、図７に示すように、底壁３４から離れるのにしたがって徐々に後述のコリメータレンズ６７から徐々に離れる方向に前記底壁３４に対して傾いているとともにコリメータレンズ６７側に設けられた傾斜面４１と、前記底壁３４に対して直交しかつコリメータレンズ６７から離れた側に設けられた垂直面４２とが設けられている。また、位置付け部３９の底壁３４から離れた側の先端部には、当該先端部から一対の位置付け部３９が互いに近づく方向に突出して、それぞれのミラー取付部３８の対応するミラー５７，６２の縁に当接可能な当接凸部４３が設けられている。位置付け部３９は、互いの間にミラー取付部３８の対応するミラー５７，６２を、当該ミラー５７，６２が傾斜面４１と平行な状態で位置付ける。
【００４３】
支点凸部４０は、一対の位置付け部３９の傾斜面４１の中央部から一対の位置付け部３９が互いに近づく方向に突出している。このため、一対の支点凸部４０は、ＣＤ２、ＤＶＤ及びＢＤの径方向に沿って互いに間隔をあけて並べられている。支点凸部４０は、一対の位置付け部３９間に設けられたミラー５７，６２が重ねられて当接する。支点凸部４０のミラー５７，６２が重ねられる面４０ａは、当該ミラー５７，６２に向かって凸に湾曲した曲面状に形成されている。前述した構成のミラー取付部３８は、一対の位置付け部３９間に対応するミラー５７，６２を、当該ミラー５７，６２が支点凸部４０に接触する状態に位置付けて、当該ミラー５７，６２との間に塗布された接着剤４４により当該ミラー５７，６２を固定する。
【００４４】
図４中手前側に位置する周壁３５の図４中手前側の端部には、当該周壁３５を貫通した通し孔４５（図１０に示す）が設けられている。通し孔４５は、内側に後述するＬＤ５９の先端部を収容する。通し孔４５の内面４５ａは、特許請求の範囲に記載された接触部をなし、図１１に示すように、ＬＤ５９から遠ざかるのにしたがって即ちベース部３１及びピックアップケース２７の奥に向かうにしたがって前記通し孔４５の内径を徐々に減少させる方向に傾斜している。通し孔４５は、その内面４５ａに先端部を接触させた状態にＬＤ５９を位置付けて、当該ＬＤ５９との間に塗布された接着剤４６により当該ＬＤ５９を固定する。
【００４５】
また、図４中手前側に位置する周壁３５の図４中奥側の端部には、コリメータレンズ６７を移動させるためのモータ４７が取り付けられている。モータ４７の出力軸にはリードスクリュー４８が取り付けられ、かつこのリードスクリュー４８にはコリメータレンズ６７を保持する保持部材４９が螺合している。モータ４７は、リードスクリュー４８を回転駆動することで、コリメータレンズ６７を後述するプリズム６６とミラー５７，６２との間に位置するレーザ光の光軸Ｐ方向に移動させる。
【００４６】
載置壁３６の図４中手前側の端部には、図８に示すように、接触部としての位置決め凸部５０が設けられている。位置決め凸部５０は、載置壁３６から底壁３４に向かって凸に形成され、その表面５０ａが載置壁３６と底壁３４との双方と平行に平坦に形成されている。位置決め凸部５０は、図９に示すように、その表面５０ａ上に後述するプリズム６６が重ねられる。載置壁３６は、位置決め凸部５０の表面５０ａ上にプリズム６６を位置付けて、当該プリズム６６との間に塗布された接触剤５１により当該プリズム６６を固定する。載置壁３６は、位置決め凸部５０上にプリズム６６を位置付けることで、当該プリズム６６が載置されることとなる。
【００４７】
レンズ部３２は、前記ベース部３１の載置壁３６の図４中奥側の端部に設けられた開口内に設けられているとともに、扁平な四角形状に形成されている。レンズ部３２は、アクチュエータ３３の後述する線条弾性部材５２の先端が取り付けられて、当該線条弾性部材５２により前記ベース部３１に対して厚み方向Ｚ及びＣＤ２、ＤＶＤ、ＢＤの径方向に沿って移動自在に支持されている。
【００４８】
アクチュエータ３３は、一端がベース部３１に取り付けられかつ他端がレンズ部３２に取り付けられた四つの線条弾性部材５２と、レンズ部３２に取り付けられかつ前記線条弾性部材５２により駆動電流が供給される平板状の一対のプリントコイル５２と、これらのプリントコイル５２と間隔をあけて相対して配置されかつ前記ベース部３１に取り付けられたマグネット５４とを備えている。前記アクチュエータ３３は、線条弾性部材５２を介してプリントコイル５２に駆動電流が供給されることで、レンズ部３２即ち後述する対物レンズ５８，６３を厚み方向ＺとＣＤ２、ＤＶＤ、ＢＤの径方向に移動させる。
【００４９】
ＣＤＤＶＤ用光学部品群２８は、図５に示すように、レーザ素子及び受光素子をなす受発光素子５５と、反射プリズム５６と、ＣＤＤＶＤ用ミラー５７と、ＣＤＤＶＤ用対物レンズ５８とを備えている。なお、これらの反射プリズム５６と、ＣＤＤＶＤ用ミラー５７と、ＣＤＤＶＤ用対物レンズ５８とは、特許請求の範囲に記載された光学部品をなしている。
【００５０】
受発光素子５５は、ＣＤ２及びＤＶＤから情報を読み出す際に用いられるレーザ光を出射するとともに、前記ＣＤ２及びＤＶＤの情報記録面で反射されたレーザ光を受光する。受発光素子５５は、ピックアップケース２７のベース部３１の図４中奥側に位置する周壁３５の図４中の手前側の端部に取り付けて、当該ピックアップケース２７のベース部３１内に向かって前述したレーザ光を出射する。
【００５１】
反射プリズム５６は、ピックアップケース２７のベース部３１の図４中手前側の端部内に設けられ、当該ピックアップケース２７のベース部３１に固定されている。反射プリズム５６は、二つのミラー取付部３８即ち当該ミラー取付部３８に取り付けられたミラー５７，６２とＣＤ２、ＤＶＤ及びＢＤの周方向に並ぶ位置に配置されている。反射プリズム５６は、受発光素子５５が出射したＣＤ２及びＤＶＤ用のレーザ光をミラー５７，６２に向かって反射しかつＣＤ２及びＤＶＤの情報記録面で反射されたＣＤ２及びＤＶＤ用のレーザ光を受発光素子５５に向かって反射する。
【００５２】
ＣＤＤＶＤ用ミラー５７は、図６中手前側のミラー取付部３８に取り付けられる。ＣＤＤＶＤ用ミラー５７は、受発光素子５５が出射したレーザ光をＣＤＤＶＤ用対物レンズ５８に向って反射するとともに、ＣＤ２及びＤＶＤの情報記録面で反射されたレーザ光をコリメータレンズ６７に向って反射する。また、ＣＤＤＶＤ用ミラー５７は、ＬＤ５９が出射したＢＤ用のレーザ光を透過する。なお、勿論、ＣＤＤＶＤ用ミラー５７は、特許請求の範囲に記載されたミラーをなしている。
【００５３】
ＣＤＤＶＤ用対物レンズ５８は、レンズ部３２のＣＤ２及びＤＶＤと相対する表面に取り付けられ、かつＣＤＤＶＤ用ミラー５７と厚み方向Ｚに並ぶ位置に配置されている。ＣＤＤＶＤ用対物レンズ５８は、勿論、ＣＤ２及びＤＶＤの表面と間隔をあけて相対している。
【００５４】
ＢＤ用光学部品群２９は、図５に示すように、レーザ素子としてのレーザダイオード（以下、ＬＤと記す）５９と、受光素子としてのフォトダイオード（以下、ＰＤと記す）６０と、ＢＤ用プリズム６１と、ＢＤ用ミラー６２と、ＢＤ用対物レンズ６３とを備えている。なお、これらのＢＤ用プリズム６１と、ＢＤ用ミラー６２と、ＢＤ用対物レンズ６３とは、特許請求の範囲に記載された光学部品をなしている。
【００５５】
ＬＤ５９とＰＤ６０は、互いに光軸Ｐ（図５中に一点鎖線で示す）が間隔をあけかつ互いに光軸Ｐが平行に配置され、前記ピックアップケース２７のベース部３１の図４中手前側の周壁３５の図４中手前側の端部に取り付けられている。ＬＤ５９は、前述した通し孔４５内に通されて、当該通し孔４５に固定される。ＬＤ５９は、ＢＤから情報を読み取るために最適な波長のレーザ光を出射する。ＰＤ６０は、周壁３５に固定される。ＰＤ６０は、ＢＤの情報記録面で反射された前述した最適な波長のレーザ光を受光する。また、前記ＰＤ６０は、ＬＤ５９よりも図４中奥側即ちモータ４７寄りに配置されている。
【００５６】
ＢＤ用プリズム６１は、ピックアップケース２７のベース部３１内に収容され、かつ前記ＬＤ５９及びＰＤ６０の近傍に配置されている。ＢＤ用プリズム６１は、図５に示すように、その内部に前記ＬＤ５９と当該ＬＤ５９の光軸Ｐに沿って相対した反射面６４と、前記ＰＤ６０と当該ＰＤ６０の光軸Ｐに沿って相対した反射透過面６５とが設けられている。反射面６４は、ＬＤ５９から出射されたレーザ光を反射透過面６５に向かって反射する。反射透過面６５は、反射面６４からのＬＤ５９から出射されたレーザ光をＰＤ６０から離れる方向即ちプリズム６６に向って反射する。また、反射透過面６５は、ＣＤ２の情報記録面で反射されてプリズム６６から入射したレーザ光を透過してＰＤ６０に導く。
【００５７】
ＢＤ用ミラー６２は、図６中奥側のミラー取付部３８に取り付けられる。ＢＤ用ミラー６２は、ＬＤ５９が出射したレーザ光をＢＤ用対物レンズ６３に向って反射するとともに、ＢＤの情報記録面で反射されたレーザ光をコリメータレンズ６７に向って反射する。なお、勿論、ＢＤ用ミラー６２は、特許請求の範囲に記載されたミラーをなしている。
【００５８】
ＢＤ用対物レンズ６３は、レンズ部３２のＢＤと相対する表面に取り付けられ、かつＢＤ用ミラー６２と厚み方向Ｚに並ぶ位置に配置されている。ＢＤ用対物レンズ６３は、勿論、ＢＤの表面と間隔をあけて相対している。
【００５９】
共通光学部品群３０は、図５に示すように、プリズム６６と、コリメータレンズ６７とを備えている。なお、これらのプリズム６６と、コリメータレンズ６７は、勿論、特許請求の範囲に記載された光学部品をなしている。
【００６０】
プリズム６６は、ピックアップケース２７のベース部３１内に収容され、かつ前記位置決め凸部５０の表面５０ａに密に重ねられて即ち載置壁３６に重ねられて当該載置壁３６に取り付けられている。プリズム６６は、反射プリズム５６と二つのミラー取付部３８との間に設けられている。プリズム６６は、図５に示すように、その内部に反射透過面６８を設けている。反射透過面６８は、ＣＤＤＶＤ用のレーザ光を透過して、当該ＣＤＤＶＤ用のレーザ光がコリメータレンズ６７と反射プリズム５６とに亘って移動することを許容する。反射透過面６８は、ＢＤ用のレーザ光を反射して、当該ＢＤ用のレーザ光がコリメータレンズ６７とＢＤ用プリズム６１とに亘って移動することを許容する。
【００６１】
コリメータレンズ６７は、前記プリズム６６とＣＤＤＶＤ用ミラー５７との間に配置され、かつ前記保持部材４９に保持されて、ＣＤ２、ＤＶＤ及びＢＤの周方向即ち前記レーザ光の光軸Ｐに沿って移動自在に設けられている。コリメータレンズ６７は、ＣＤ２、ＤＶＤ及びＢＤの厚みのばらつきなどによるレーザ光のＣＤ２、ＤＶＤ及びＢＤの情報記録面上でのぼやけを防止するために、当該レーザ光の焦点が前記ＣＤ２、ＤＶＤ及びＢＤの情報記録面上に位置するように、保持部材４９即ちモータ４７により移動される。
【００６２】
前述した共通光学部品群３０は、受発光素子５５が出射したレーザ光をＣＤ２及びＤＶＤの情報記録面まで導き、当該ＣＤ２及びＤＶＤの情報記録面で反射されたレーザ光を受発光素子５５まで導くとともに、ＬＤ５９が出射したレーザ光をＢＤの情報記録面まで導き、当該ＢＤの情報記録面で反射されたレーザ光をＰＤ６０まで導く。
【００６３】
前述した構成の光ピックアップ装置２１は、ピックアップケース２７にＣＤＤＶＤ用光学部品群２８、ＢＤ用光学部品群２９及び共通光学部品群３０を構成する各部品が取り付けられるなどして組み立てられる。このとき、ミラー５７，６２は、ＣＤ２、ＤＶＤ及びＢＤの情報記録面上でのレーザ光のタンジェンシャル方向（ＣＤ２、ＤＶＤ及びＢＤの周方向と平行な方向）の位置が適切な位置となるように、接触部としての支点凸部４０を中心とした向き（図７中に矢印Ｍで示す）のみが適宜変更されて、支点凸部４０に接触した状態で接着剤４４によりミラー取付部３８に固定される。また、プリズム６６は、ＣＤ２、ＤＶＤ及びＢＤの情報記録面上でのレーザ光のラジアル方向（ＣＤ２、ＤＶＤ及びＢＤの径方向と平行な方向）の位置が適切な位置となるように、位置決め凸部５０の表面５０ａ上の位置のみが適宜変更されて、接着剤４６により位置決め凸部５０に密に接触した状態で載置壁３６に固定される。さらに、ＬＤ５９は、その出射するレーザ光の最も強度が強い箇所が、前述した光学部品群２８，２９，３０の光軸Ｐ上に重なるように、即ち、出射するレーザ光の向きが適切な向きとなるように、通し孔４５の内面４５ａに当接する位置のみが適宜変更されて、通し孔４５の内面４５ａに接触した状態で接着剤５１により通し孔４５即ちベース部３１に固定される。このように、ミラー５７，６２、プリズム６６、ＬＤ５９は、それぞれ、レーザ光の一方向のみの位置調整のためにピックアップケース２７に対する位置が適宜調整される光学部品をなしている。
【００６４】
前述した構成のプレーヤ装置１は、挿入口１０から機器本体３内に挿入されたＣＤ２、ＤＶＤ及びＢＤを搬送ユニット５がクランプ再生ユニット６のキャリッジシャーシ１８とクランプアーム１９との間まで搬送し、クランプ再生ユニット６がキャリッジシャーシ１８とクランプアーム１９との間にクランプして、光ピックアップ装置２１をＣＤ２、ＤＶＤ及びＢＤの径方向に移動させてＣＤ２、ＤＶＤ及びＢＤの所望の位置の情報記録面から情報を読み出す。そして、前述した構成のプレーヤ装置１は、再生が完了したＣＤ２、ＤＶＤ及びＢＤなどを搬送ユニット５がキャリッジシャーシ１８とクランプアーム１９との間から挿入口１０を機器本体３外まで搬送する。
【００６５】
本実施例によれば、レーザ光の位置調整のためにピックアップケース２７に対する位置が適宜調整されるミラー５７，６２、ＬＤ５９、プリズム６６に接触する接触部としての支点凸部４０、内面４５ａ及び位置決め凸部５０を当該ピックアップケース２７に設けている。このように、これらミラー５７，６２、ＬＤ５９、プリズム６６が接着剤４４，４６，５１のみで保持されることなく、接触部としての支点凸部４０、内面４５ａ及び位置決め凸部５０即ちピックアップケース２７の一部分に直接接触している。よって、温度変化により接着剤４４，４６，５１が伸び縮みしても、ミラー５７，６２、ＬＤ５９、プリズム６６がピックアップケース２７に対して位置ずれしにくくなっている。よって、温度が変化しても、位置を調整したレーザ光がずれることを防止することができる。
【００６６】
また、前述したミラー５７，６２、ＬＤ５９、プリズム６６を、ピックアップケース２７の接触部としての支点凸部４０、内面４５ａ及び位置決め凸部５０に接触させているので、専用の調整機構を設けることなく、これらのピックアップケース２７に対する位置を適宜調整することができる。したがって、専用の機構を用いることなく低コストで、温度が変化しても位置を調整したレーザ光がずれることを防止することができる。
【００６７】
また、レーザ光の位置調整のためにピックアップケース２７に対する位置が適宜調整される光学部品をミラー５７，６２とし、接触部をミラー取付部３８の位置付け部３９から突出しかつミラー５７，６２に接触する面４０ａが凸の曲面状に形成した支点凸部４０としている。このために、ミラー５７，６２を接触部としての支点凸部４０に確実に接触させることができて温度が変化しても、位置を調整したレーザ光がずれることを防止することができる。さらに、支点凸部４０を中心としてミラー５７，６２の向きを適宜変更できるので、当該ミラー５７，６２の支点凸部４０を中心とした向きＭを適宜変更することにより、例えば、レーザ光のタンジェンシャル方向の位置を適宜調整することができる。
【００６８】
さらに、レーザ光の位置調整のためにピックアップケース２７に対する位置が適宜調整される光学部品をプリズム６６とし、接触部を載置壁３６から突出して表面５０ａが平坦な位置決め凸部５０としている。このために、プリズム６６を接触部としての位置決め凸部５０に確実に接触させることができて温度が変化しても、位置を調整したレーザ光がずれることを防止することができる。さらに、位置決め凸部５０の表面５０ａ上のプリズム６６の位置を適宜変更できるので、当該プリズム６６の位置決め凸部５０の表面５０ａ上の位置を適宜変更することにより、例えば、レーザ光のラジアル方向の位置を適宜調整することができる。
【００６９】
また、レーザ光の位置調整のためにピックアップケース２７に対する位置が適宜調整される光学部品をＬＤ５９とし、接触部をＬＤ５９の先端部を通す通し孔４５のテーパ状の内面４５ａとしている。このために、ＬＤ５９を接触部としての内面４５ａに確実に接触させることができて温度が変化しても、位置を調整したレーザ光がずれることを防止することができる。さらに、内面４５ａ上のＬＤ５９の接触する箇所の位置を適宜変更できるので、例えば、ＬＤ５９が出射するレーザ光の向きを適宜調整することができる。
【００７０】
さらに、前述した実施例では、ミラー５７，６２の支点凸部４０周りの向きを調整することでレーザ光のタンジェンシャル方向の位置調整を行い、プリズム６６の位置決め凸部５０の表面５０ａ上の位置を調整することでレーザ光のラジアル方向の位置調整を行い、通し孔４５の内面４５ａ上のＬＤ５９の接触する箇所の位置を調製することでＬＤ５９から出射するレーザ光の向きの調整を行っている。このように、本実施例では、レーザ光の位置調整のためにピックアップケース２７に対する位置が適宜調整される光学部品として、ミラー５７，６２、プリズム６６及びＬＤ５９の三種類設け、これらを各々一方向のみの位置調整に用いるので、ピックアップケース２７に対する光学部品即ちレーザ光の位置調整の作業が容易になり、光ピックアップ装置２１の組み立てに係る工数を抑制することができる。
【００７１】
また、本実施例では、プレーヤ装置１が前述した構成の光ピックアップ装置２１を備えているので、当該プレーヤ装置１は、温度が変化しても、位置を調整したレーザ光がずれることを防止することができる。
【００７２】
前述した実施例によれば、以下のプレーヤ装置１が得られる。
【００７３】
（付記）  ＣＤ２、ＤＶＤ及びＢＤの径方向に移動自在に設けられたピックアップケース２７と、レーザ光を出射するＬＤ５９と、前記ＬＤ５９によって出射されたレーザ光を反射して当該レーザ光を前記ＣＤ２、ＤＶＤ及びＢＤの情報記録面に導くミラー５７，６２、プリズム６６と、前記ミラー５７，６２、プリズム６６によって前記ＣＤ２、ＤＶＤ及びＢＤの情報記録面に導かれ、当該ＣＤ２、ＤＶＤ及びＢＤの情報記録面で反射されたレーザ光を受光するＰＤ６０と、を備えた光ピックアップ装置２１において、
前記ピックアップケース２７が、前記ＬＤ５９とミラー５７，６２、プリズム６６のそれぞれと接触する接触部４０，４５ａ，５０を備え、
前記ＬＤ５９とミラー５７，６２、プリズム６６は、当該接触部４０，４５ａ，５０に接触した状態で接着剤４４，４６，５１によりピックアップケース２７に固定されていることを特徴とする光ピックアップ装置２１。
【００７４】
付記によれば、レーザ光の位置調整のためにピックアップケース２７に対する位置が適宜調整されるミラー５７，６２、ＬＤ５９及びプリズム６６に接触する接触部４０，４５ａ，５０を当該ピックアップケース２７に設けている。このように、これらのミラー５７，６２、ＬＤ５９及びプリズム６６が接着剤４４，４６，５１のみで保持されることなく、接触部４０，４５ａ，５０即ちピックアップケース２７の一部分に直接接触しているので、温度変化により接着剤４４，４６，５１が伸び縮みしても、当該ミラー５７，６２、ＬＤ５９及びプリズム６６がピックアップケース２７に対して位置ずれしにくくなっている。よって、温度が変化しても、位置を調整したレーザ光がずれることを防止することができる。
【００７５】
前述した実施例では、ミラー５７，６２、プリズム６６及びＬＤ５９のピックアップケース２７に対する位置を適宜調整している例を示したが、本発明は、これに限らず、種々の光学部品のピックアップケース２７に対する位置を適宜調整するようにしても良い。
【００７６】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００７７】
１  プレーヤ装置（光ディスク再生装置）
２  ＣＤ（光ディスク）
３  機器本体
２１  光ピックアップ装置
２７  ピックアップケース
３６  載置壁
３９  位置付け部
４０  支点凸部（接触部）
４０ａ  面
４４  接着剤
４５  通し孔
４５ａ  内面（接触部）
４６  接着剤
５０  位置決め凸部（接触部）
５０ａ  表面
５１  接着剤
５５  受発光素子（レーザ素子、受光素子）
５６  反射プリズム（光学部品）
５７  ＣＤＤＶＤ用ミラー（ミラー、光学部品）
５８  ＣＤＤＶＤ用対物レンズ（光学部品）
５９  ＬＤ（レーザ素子）
６０  ＰＤ（受光素子）
６１  ＢＤ用プリズム（光学部品）
６２  ＢＤ用ミラー（ミラー、光学部品）
６３  ＢＤ用対物レンズ（光学部品）
６６  プリズム（光学部品）
６７  コリメータレンズ（光学部品）
【図１】
2011170940.tif 000003
【図２】
2011170940.tif 000004
【図３】
2011170940.tif 000005
【図４】
2011170940.tif 000006
【図５】
2011170940.tif 000007
【図６】
2011170940.tif 000008
【図７】
2011170940.tif 000009
【図８】
2011170940.tif 000010
【図９】
2011170940.tif 000011
【図１０】
2011170940.tif 000012
【図１１】
2011170940.tif 000013